(57)【要約】【課題】  電子文書に付加された年表事項と対応する本文の構成文書とを対応付けて提示することができる年表事項提示装置等を提供することを目的とする。【解決手段】  電子文書を構成する構成文書毎に付加されたキーワードを取得するキーワード取得手段と、前記電子文書に付加された年表に記述される年表事項のうち、当該年表事項を構成する語句に前記取得したキーワードを含む年表事項を特定年表事項として取得する特定年表事項取得手段と、前記取得したキーワードに対応する前記構成文書に関連する関連情報を取得する関連情報取得手段と、前記取得した関連情報と前記特定年表事項とを対応付けて提示する提示手段とを有することを特徴とする。【選択図】  図１
2005222356.tif 000002
【特許請求の範囲】
【請求項１】
電子文書を構成する構成文書毎に付加されたキーワードを取得するキーワード取得手段と、
前記電子文書に付加された年表に記述される年表事項のうち、当該年表事項を構成する語句に、前記取得したキーワードを少なくとも１つ以上含む年表事項を特定年表事項として取得する特定年表事項取得手段と、
前記取得したキーワードに対応する前記構成文書に関連する関連情報を取得する関連情報取得手段と、
前記取得した関連情報と前記特定年表事項とを対応付けて提示する提示手段と
を有することを特徴とする年表事項提示装置。
【請求項２】
請求項１に記載の年表事項提示装置において、
ユーザにより指定された年代を示す年代情報を取得する年代情報取得手段を有し、
前記キーワード取得手段は、前記取得した年代情報に対応するキーワードを取得し、
前記特定年表事項取得手段は、前記取得した年代情報に対応する年表事項を特定年表事項として取得することを特徴とする年表事項提示装置。
【請求項３】
請求項１又は請求項２に記載の年表事項提示装置において、
前記提示手段は、１の前記特定年表事項に対応する前記関連情報が複数ある場合には、当該関連情報のうち、所定個数だけ選択し、当該選択された関連情報と前記特定年表事項とを対応付けて提示することを特徴とする年表事項提示装置。
【請求項４】
請求項１乃至請求項３のいずれか一項に記載の年表事項提示装置において、
前記特定年表事項取得手段は、前記特定年表事項に対応する第１の年月日情報を取得し、
前記提示手段は、前記第１の年月日情報に基づいて前記特定年表事項と前記関連情報とを対応付けて提示することを特徴とする年表事項提示装置。
【請求項５】
請求項４に記載の年表事項提示装置において、
前記電子文書に付加された年表に記述される年表事項のうち、前記特定年表事項取得手段により取得されなかった年表事項であって、前記年代情報取得手段によって取得された年代情報に対応する年表事項を、当該年表事項と対応する第２の年月日情報と共に取得する未取得年表事項取得手段を有し、
前記提示手段は、前記未取得年表事項取得手段によって取得された年表事項を、前記第２の年月日情報に基づいて提示することを特徴とする年表事項提示装置。
【請求項６】
請求項１乃至請求項５のいずれか一項に記載の年表事項提示装置において、
前記提示手段によって提示された前記関連情報のうち、少なくとも一以上の関連情報を選択する関連情報選択手段を有し、
前記提示手段は、前記選択された関連情報に対応する前記対応構成文書を取得して提示することを特徴とする年表事項提示装置。
【請求項７】
請求項２乃至請求項６のいずれか一項に記載の年表事項提示装置において、
副電子文書を構成する構成文書であって、前記年代情報取得手段によって取得された年代情報に対応し、かつ、前記キーワード取得手段によって取得されたキーワードと同一のキーワードが付加された構成文書に関連する副関連情報を取得する副関連情報取得手段を有し、
前記提示手段は、前記副関連情報を、前記取得した関連情報と前記特定年表事項とに対応付けて提示することを特徴とする年表事項提示装置。
【請求項８】
請求項７に記載の年表事項提示装置において、
前記副関連情報取得手段は、前記副電子文書を構成する構成文書に対応する第３の年月日情報を取得し、
前記提示手段は、前記副関連情報を、前記第３の年月日情報に基づいて提示することを特徴とする年表事項提示装置。
【請求項９】
請求項１乃至請求項８のいずれか一項に記載の年表事項提示装置と、該年表事項提示装置とネットワークを介して接続可能な端末装置とにより構成される年表事項提示システムであって、
前記年表事項提示装置は、
前記端末装置より前記年代情報を受信する第１の受信手段と、
前記特定年表事項と前記関連情報とを年表情報として前記端末装置へ送信する第１の送信手段とを有し、
前記端末装置は、
前記年代を指定するための指定手段と、
該指定された年代を年代情報として前記年表事項提示装置へ送信する第２の送信手段と、
前記年表事項提示装置から前記年表情報を受信する第２の受信手段と、
前記受信した年表情報を提示する年表情報提示手段と
を有することを特徴とする年表事項提示システム。
【請求項１０】
電子文書を構成する構成文書毎に付加されたキーワードを取得するキーワード取得工程と、
前記電子文書に付加された年表に記述される年表事項のうち、当該年表事項を構成する語句に、前記取得したキーワードを少なくとも１つ以上含む年表事項を特定年表事項として取得する特定年表事項取得工程と、
前記取得したキーワードに対応する前記構成文書に関連する関連情報を取得する関連情報取得工程と、
前記取得した関連情報と前記特定年表事項とを対応付けて提示する提示工程と
を有することを特徴とする年表事項提示方法。
【請求項１１】
請求項１０に記載の年表事項提示方法において、
ユーザにより指定された年代を示す年代情報を取得する年代情報取得工程を有し、
前記キーワード取得工程において、前記取得した年代情報に対応するキーワードを取得し、
前記特定年表事項取得工程において、前記年代情報取得工程にて取得した年代情報に対応する年表事項を特定年表事項として取得することを特徴とする年表事項提示方法。
【請求項１２】
電子文書に付加された年表に記述される年表事項を提示する年表事項提示装置に含まれるコンピュータを、
前記電子文書を構成する構成文書毎に付加されたキーワードを取得するキーワード取得手段、
前記年表事項のうち、当該年表事項を構成する語句に、前記取得したキーワードを少なくとも１つ以上含む年表事項を特定年表事項として取得する特定年表事項取得手段、
前記取得したキーワードに対応する前記構成文書に関連する関連情報を取得する関連情報取得手段および、
前記取得した関連情報と前記特定年表事項とを対応付けて提示する提示手段として機能させることを特徴とする年表事項提示プログラム。
【請求項１３】
請求項１２に記載の年表事項提示プログラムにおいて、前記コンピュータを、
ユーザにより指定された年代を示す年代情報を取得する年代情報取得手段として機能させると共に、
前記キーワード取得手段を、前記取得した年代情報に対応するキーワードを取得するよう機能させ、
前記特定年表事項取得手段を、前記取得した年代情報に対応する年表事項を特定年表事項として取得するよう機能させることを特徴とする年表事項提示プログラム。
【発明の詳細な説明】
【技術分野】
【０００１】
本発明は、ユーザに対して年表情報を提示する年表事項提示装置及び年表事項提示方法及び年表事項提示プログラム及び年表事項提示システムに関する。
【背景技術】
【０００２】
電子書籍や電子ドキュメントの普及に伴い、年史・社史や歴史研究書などの書籍も電子化される傾向にある。年史や社史、歴史書では、巻末や章末に年表が付属するのが常である。
【０００３】
例えば、特許文献１には、表示年代を検索キーとして関連記事の検索を行なう手法が開示されている。
【特許文献１】特開平１０−５５３６８号公報
【発明の開示】
【発明が解決しようとする課題】
【０００４】
しかし、例えば紙媒体としての年史書籍を電子文書に変換しようとする場合、代表的な電子文書のフォーマットとしてはＰＤＦ（PDF Portable Document Format）やＨＴＭＬ（Hyper Text Markup Language）等があるが、いずれのフォーマットでも、書籍以上の使い勝手（年表から本文へのジャンプなど）を実現するには、データ作成後に文書間の関係を人間が把握・選択して、年表事項と本文のリンク付けを行なわなくてはならず、非常に手間がかかるという問題があった。
【０００５】
さらに、最近では、本文の内容が、年代順でなく製品毎や事業毎に並べられるなど、構成が複雑な年史が増えてきており、このような年史では年表に対応した本文記事を書籍内で検索するのは難しいという問題があった。
【０００６】
そこで、本発明は上記課題に鑑みてなされたものであり、年表データと本文記事に関連する関連情報とを対応付けて提示することが可能な年表事項提示装置等を提供することを目的とする。
【課題を解決するための手段】
【０００７】
上記課題を解決するための本発明の一つの観点では、電子文書を構成する構成文書毎に付加されたキーワードを取得するキーワード取得手段と、前記電子文書に付加された年表に記述される年表事項のうち、当該年表事項を構成する語句に、前記取得したキーワードを含む年表事項を特定年表事項として取得する特定年表事項取得手段と、前記取得したキーワードに対応する前記構成文書に関連する関連情報を取得する関連情報取得手段と、前記取得した関連情報と前記特定年表事項とを対応付けて提示する提示手段とを有することを特徴とする。
【０００８】
これによれば、電子文書を構成する構成文書毎に付加されたキーワードを用いて年表事項の検索を行なうことにより、構成文書の内容と関連の深い全ての年表事項を対応付けて提示することが可能になる。
【０００９】
上記課題を解決するための本発明の他の観点では、請求項１に記載の年表事項提示装置において、ユーザにより指定された年代を示す年代情報を取得する年代情報取得手段を有し、前記特定年表事項取得手段は、前記取得した年代情報に対応する年表事項を特定年表事項として取得することを特徴とする。
【００１０】
これによれば、所望の年代に対応する関連情報を、上記年表事項と対応付けて提示することができ、より最適な年表事項と関連情報とを年表情報として提示することが可能になる。
【００１１】
上記課題を解決するための本発明の他の観点では、請求項１または請求項２に記載の年表事項提示装置において、前記提示手段は、１の前記特定年表事項に対応する前記関連情報が複数ある場合には、当該関連情報のうち、所定個数だけ選択し、当該選択された関連情報と前記特定年表事項とを対応付けて提示することを特徴とする。
【００１２】
これによれば、対応する関連情報が多数ある場合であっても、予め定められた個数だけ提示することにより、特定年表事項に対応する関連情報が複数個ある場合でも、表示可能な程度だけ表示させることができる。また、所定個数を自由に設定できるように構成すれば、検索精度を自由に設定することが可能になるという効果がある。
【００１３】
上記課題を解決するための本発明の他の観点では、請求項１乃至請求項３のいずれか一項に記載の年表事項提示装置において、前記特定年表事項取得手段は、前記特定年表事項に対応する第１の年月日情報を取得し、前記提示手段は、前記第１の年月日情報に基づいて前記特定年表事項と前記関連情報とを対応付けて提示することを特徴とする。
【００１４】
これによれば、年表事項に対応する年表日付データ等の第１の年月日情報に基づいて、前記特定年表事項と前記関連情報の双方を提示することにより、１の時系列で対応付けて提示することが可能になるという効果がある。
【００１５】
上記課題を解決するための本発明の他の観点では、請求項４に記載の年表事項提示装置において、前記電子文書に付加された年表に記述される年表事項のうち、前記特定年表事項取得手段により取得されなかった年表事項であって、前記年代情報取得手段によって取得された年代情報に対応する年表事項を、当該年表事項と対応する第２の年月日情報と共に取得する未取得年表事項取得手段を有し、前記提示手段は、前記未取得年表事項取得手段によって取得された年表事項を、前記第２の年月日情報に基づいて提示することを特徴とする。
【００１６】
これによれば、年表事項に対応する年表日付データ等の第２の年月日情報に基づいて、前記特定年表事項と前記関連情報の双方を提示することにより、１の時系列で対応付けて提示することが可能になるという効果がある。また、キーワードを有さず、対応付けられるべき関連情報がない年表事項であっても、年代情報に対応する全ての年表事項を提示することが可能になり、ユーザにとってより便宜のいい年表事項提示装置を提供することが可能になる。
【００１７】
上記課題を解決するための本発明の他の観点では、請求項１乃至請求項５のいずれか一項に記載の年表事項提示装置において、前記提示手段によって提示された前記関連情報のうち、少なくとも一以上の関連情報を選択する関連情報選択手段を有し、前記提示手段は、前記選択された関連情報に対応する前記対応構成文書を取得して提示することを特徴とする。
【００１８】
これによれば、ユーザは表示された関連情報を確認して、構成文書の提示を所望するか否かを決定し、提示を所望する構成文書だけを取得することが可能になるという効果がある。
【００１９】
上記課題を解決するための本発明の他の観点では、請求項２乃至請求項６のいずれか一項に記載の年表事項提示装置において、副電子文書を構成する構成文書であって、前記年代情報取得手段によって取得された年代情報に対応し、かつ、前記キーワード取得手段によって取得されたキーワードと同一のキーワードが付加された構成文書に関連する副関連情報を取得する副関連情報取得手段を有し、前記提示手段は、前記副関連情報を、前記取得した関連情報と前記特定年表事項とに対応付けて提示することを特徴とする。
【００２０】
これによれば、異なる複数の電子文書を、年表事項に対応付けて同時に提示することが可能になるという効果がある。
【００２１】
上記課題を解決するための本発明の他の観点では、請求項７に記載の年表事項提示装置において、前記副関連情報取得手段は、前記副電子文書を構成する構成文書に対応する第３の年月日情報を取得し、前記提示手段は、前記副関連情報を、前記第３の年月日情報に基づいて提示することを特徴とする。
【００２２】
これによれば、異なる複数の電子文書を、年表事項に対応付けて同一の時系列で対比して把握することが可能になるという効果がある。
【００２３】
上記課題を解決するための本発明の他の観点では請求項１乃至請求項８のいずれか一項に記載の年表事項提示装置と、該年表事項提示装置とネットワークを介して接続可能な端末装置とにより構成される年表事項提示システムであって、前記年表事項提示装置は、前記端末装置より前記年代情報を受信する第１の受信手段と、前記特定年表事項と前記関連情報とを年表情報として前記端末装置へ送信する第１の送信手段とを有し、前記端末装置は、前記年代を指定するための指定手段と、該指定された年代を年代情報として前記年表事項提示装置へ送信する第２の送信手段と、前記年表事項提示装置から前記年表情報を受信する第２の受信手段と、前記受信した年表情報を提示する年表情報提示手段とを有することを特徴とする。
【００２４】
これによれば、端末装置から年表事項提示装置にネットワークを介してアクセスすることにより、遠隔からでも容易に年表事項と関連情報とを取得することが可能になるという効果がある。
【発明の効果】
【００２５】
本発明によれば、年表事項は構成文書の要約文となっていることが多いという特性を利用し、電子文書を構成する構成文書毎に付加されたキーワードを用いて年表事項の検索を行なうことにより、構成文書の内容と関連の深い全ての年表事項を、構成文書の関連情報と対応付けて提示することが可能になる。
【発明を実施するための最良の形態】
【００２６】
以下、本発明の好適な実施の形態を図面に基づいて説明する。
【００２７】
まず、図１乃至図３を参照して本実施形態にかかる年表事項提示装置の構成及び機能を説明する。なお、以下に説明する実施形態は、本願の年表事項提示装置を、コンピュータ等を用いてユーザが年代を指定することにより、その指定された年代に企業や学校などで起きた出来事の内容を年表情報として表示する表示部等で構成された年表事項提示装置に対して適用した場合の実施の形態である。
【００２８】
図１は、本実施形態にかかる年表事項提示装置の概要構成例を示すブロック図である。
【００２９】
図１に示すように、年表事項提示装置１は、入力部１１、記憶部１２、キーワード取得部１３、検索部１４、表示データ作成部１５、表示部１６、選択部１７および制御部１８を含んで構成されており、各構成要素は互いにバス１９によって接続されている。
【００３０】
入力部１１は、上記制御部１８と共に、年代情報取得手段として機能し、キーボードやテンキー等で構成され、ユーザが提示を所望する年表情報の年代Ｙを入力し、年代情報として装置内に取得するためのものである。
【００３１】
記憶部１２は、年表データベース１２Ａ、本文データベース１２Ｂ及びメモリ１２Ｃを含んで構成される。
【００３２】
年表データベース１２Ａは、図２（Ａ）に示す如く、電子文書に付加された年表に記述される年表事項としての年表データと、当該年表に記述される出来事が起きた年としての第１の年月日情報及び第２の年月日情報としての年表日付データとを対応付けて記憶している。図２（Ａ）に示す例によれば、１９８４年３月に起きた出来事として、年表日付データ「１９８４０３００」と年表データ「○○工場内にシャドウマスク工場が完成」が対応付けて記憶されている。また、１９８４年１１月に起きた出来事として、年表日付データ「１９８４１１００」と年表データ「レインボーホログラムの量産に成功」が対応付けて記憶されている。
【００３３】
本文データベース１２Ｂは、図２（Ｂ）に示す如く、本文識別番号毎に、電子文書を構成する構成文書に関連する関連情報としての章タイトルを含む本文記事関連データ、電子文書を構成する構成文書としての本文記事、及び当該本文記事の内容を把握するための手がかりとなるキーワードを対応付けて記憶している。また、この本文記事関連データは、本文記事に記述されている年代範囲を示す本文日付データと章番号と章タイトルとにより構成される。
【００３４】
このキーワードは、本文記事の記述内容を示す重要語句であって、例えば企業等の年史であれば、本文記事の内容とつながりの深い商品名や製品名をキーワードとすると、上記年表データベース１２Ａからより適格な年表データを取得して、当該キーワードを有する本文記事の章タイトルと共に提示することができる。
【００３５】
図２（Ｂ）に示す例によれば、本文記事識別番号１には、１９７０年〜２００２年に起きた出来事として、関連情報の章番号：「第１．１章」と章タイトル：「フラットディスプレイ」、キーワード：「液晶」及び「プロジェクション」、及び本文記事「・・・画面サイズが１００インチ以上の大型テレビにも、当社の技術が・・。当社は高精度のプロジェクションスクリーン・・・独自に開発し・・・」が対応付けて記憶されており、また、本文記事識別番号２には、１９７３年〜２０００年に起きた出来事として、本文記事関連情報の章番号：「２．２」と章タイトル：「量産技術の確立」、キーワード：「レインボーホログラム」及び「リップマンホログラム」、及び本文記事「・・・もう一つのホログラムの種類が、レインボーホログラムだ。世界初の量産に成功したのが昭和５９年のことであった。…」が対応付けて記憶されている。そして、本文記事識別番号３及び４にも同様に章番号、章タイトル、キーワード、及び本文記事が対応付けて記憶されている。上記年表データベース１２Ａより年表データを検索して取得する際には、上記キーワードを検索語として用いて検索部１４によって検索を行なうことにより、より適格な年表データを取得することが可能になる。
【００３６】
メモリ１２Ｃは、上記本文データベース１２Ｂから取得された本文記事の関連情報としての章タイトルと、これに対応する本文記事識別番号、上記年表データベース１２Ａから取得された年表データと、これに対応する年表日付データとを、データＩＤ毎に対応付けて一時的に記憶する。上記表示データ作成部１５は、このメモリ１２Ｃに記憶されている各データを表示部１６に表示可能な形式に変換して年表表示用データを作成する。
【００３７】
キーワード取得部１３は、上記制御部１８と共に、キーワード取得手段として機能し、提示を所望する年表情報の年代Ｙが上記入力部１１によって入力されることにより取得した年代情報に対応するキーワードを、上記本文データベース１２Ｂから本文日付データに基づいて取得する。
【００３８】
検索部１４は、上記制御部１８と共に、特定年表事項取得手段として機能し、上記入力部１１によって取得した年代情報に基づいて、該当する年表データを年表データベース１２Ａを参照して検索し、該検索された年表データのうち、上記キーワード取得部１３によって取得したキーワードを１つ以上含む年表データを検索し、特定年表事項としての特定年表データを、対応する第１の年月日情報としての年表日付データと共に取得する。
【００３９】
また、上記制御部１８と共に、未取得年表事項取得手段として機能し、上記入力部１１によって取得した年代情報に基づいて、該当する年表データを年表データベース１２Ａを参照して検索し、特定年表データとして取得されなかった未取得年表事項としての年表データを、対応する第２の年月日情報としての年表日付データと共に取得する。
【００４０】
また、上記制御部１８と共に、関連情報取得手段として機能し、取得した年代情報に対応する本文記事の章タイトルであって、上記キーワード取得部１３が取得したキーワードと対応する関連情報としての本文記事の章タイトルを本文データベース１２Ｂより取得する。
【００４１】
図２（Ａ）に示す年表データベース１２Ａおよび図２（Ｂ）に示す本文データベース１２Ｂに基づいて説明すると、例えば、上記入力部１１によって年代Ｙが１９７２年と指定された場合には、キーワード取得部１３によって、１９７２年の年代を本文日付データで定められた期間に含む本文記事識別番号１のキーワード「液晶」及び「プロジェクション」と、本文記事識別番号２のキーワード「レインボーホログラム」及び「リップマンホログラム」が本文データベース１２Ｂより取得される。
【００４２】
また、図３の表示例のように、上記入力部１１によって年代Ｙが１９８４年〜１９８５年と指定された場合には、１９８４年から１９８５年までの年代を、本文日付データで定められた期間に含む本文記事識別番号１乃至本文記事識別番号４の本文記事のキーワードが、本文データベース１２Ｂより取得される。
【００４３】
そして、取得された年代情報「１９８４年」に対応する年表日付データを有する年表データ「○○工場内にシャドウマスク工場が完成」、「高品位テレビ用大型プロジェクションスクリーンを開発」及び「レインボーホログラムの量産に成功」のうち、上記本文データベース１２Ｂより取得したキーワード「液晶」、「プロジェクション」、「レインボーホログラム」若しくは「リップマンホログラム」の何れか一つ以上を含む語句を有する年表データが特定年表データとして取得される。つまり、構成する語句にキーワード「プロジェクション」を含む年表データとして、年表データ「高品位テレビ用大型プロジェクションスクリーンを開発」が、構成する語句にキーワード「レインボーホログラム」を含む年表データとして、年表データ「レインボーホログラムの量産に成功」が、それぞれの年表日付データ「１９８４０４００」及び年表日付データ「１９８４１１００」と共に取得される。
【００４４】
他方、取得された年代情報「１９８４年」に対応する年表日付データを有する年表データ「○○工場内にシャドウマスク工場が完成」、「高品位テレビ用大型プロジェクションスクリーンを開発」及び「レインボーホログラムの量産に成功」のうち、特定年表データとして取得されなかった年表データ（未取得年表データ）、つまり、上記本文データベース１２Ｂより取得されたキーワードをその構成語句に含まない年表データ「○○工場内にシャドウマスク工場が完成」がその年表日付データ「１９８４０３００」と共に取得される。
【００４５】
そして、特定年表データ「高品位テレビ用大型プロジェクションスクリーンを開発」と、当該キーワード「プロジェクション」の本文記事識別番号１に対応する関連情報の章タイトル「フラットディスプレイ」とが対応付けて表示部１６に表示され、特定年表データ「レインボーホログラムの量産に成功」と、当該キーワード「レインボーホログラム」の本文記事識別番号２に対応する関連情報の章タイトル「量産技術の確立」とが対応付けて表示部１６に年表情報として表示され、他方、未取得年表データ「○○工場内にシャドウマスク工場が完成」はいずれの関連情報とも対応付けられずに表示部１６に年表情報として表示される。なお、上記年表情報を表示する際には、それぞれ取得した年表日付データに基づいて時系列に表示する。
【００４６】
表示データ作成部１５は、上記表示部１６および上記制御部１８と共に提示手段として機能し、メモリ１２Ｃに記憶された取得した年表データ及び対応する関連情報の章タイトルを、表示部１６に表示可能な形式に変換して年表表示用データを作成する。
【００４７】
表示部１６は、上記表示データ作成部１５および上記制御部１８と共に提示手段として機能し、当該表示データ作成部１５にて作成された年表表示用データに基づいて、年表データと章タイトルとを対応付けて年表情報を表示する。
【００４８】
図３に表示部１６の年表情報の表示例を示す。図３に示す例は、ユーザが提示を所望する年表情報の年代Ｙを「１９８４年〜１９８５年」として入力した場合の例である。
【００４９】
図３に示す如く、取得された年表日付データ及び年表データが「会社の動き」として、取得した関連情報の章タイトルが「関連記事」として表示される。なお、同一の年表データに複数の章タイトルが対応付けられる場合には、本文データベース１２Ｂ（図２（Ｂ））を参照して、取得した関連情報の章タイトルの章番号に基づいて、時系列で表示するよう構成する。例えば、年表データ「世界初のＣＤ−ＲＯＭ版電子辞書を開発」は、本文記事識別番号３のキーワード「ＣＤ−ＲＯＭ」と本文記事識別番号４のキーワード「電子辞書」の双方を含んでいるが、表示部１６に表示する際には、本文記事識別番号３の章番号は３．２であり、他方、本文記事識別番号４の章番号は５．１であるので、より早い本文識別番号３の関連情報の章タイトル「デジタル広辞苑の誕生」の後に本文日付データの遅い本文識別番号４の関連情報の章タイトル「デジタル広辞苑の誕生」を表示する。
【００５０】
そして、章タイトルと、対応する本文データベース１２Ｂに記憶されている本文記事とをハイパーリンクで関連付けを行ない、マウスなどで構成する選択部１７を操作して対応する本文記事の表示を所望する関連情報としての章タイトルを選択することにより、関連付けられた本文記事が表示されるよう構成する。
【００５１】
選択部１７は、上記制御部１８と共に関連情報選択手段として機能し、マウスなどで構成され、ユーザが当該マウスを操作することにより、表示部１６に表示された章タイトルのうち、本文記事の表示を所望する何れかの章タイトルを選択するためのものである。
【００５２】
制御部１８は、演算機能を有するＣＰＵ（Central Processing Unit）、各種プログラム（年表事項提示プログラムを含む）及びデータを記憶するＲＯＭ（Read Only Memory）、及び作業用メモリとしてのＲＡＭ（Random Access memory）等を含んで構成されており、年表事項提示装置１における構成要素全体を制御し、また、年表事項提示装置１を構成する各種構成部に対して所定の指示信号を送受信するためのものである。
【００５３】
具体的には、制御部１８は、上記入力部１１と共に、年代情報取得手段として機能し、入力部１１によって入力された年代Ｙを年代情報として取得する。
【００５４】
また、制御部１８は、上記キーワード取得部１３と共にキーワード取得手段として機能し、上記入力部１１によって提示を所望する年表情報の年代Ｙが入力されることにより取得した年代情報に対応するキーワードを、上記本文データベース１２Ｂから本文日付データに基づいて取得する。
【００５５】
また、制御部１８は、上記検索部１４と共に特定年表事項取得手段として機能し、上記入力部１１によって取得した年代情報に基づいて、該当する年表データを年表データベース１２Ａを参照して検索し、該検索された年表データのうち、上記キーワード取得部１３によって取得したキーワードを１つ以上含む年表データを検索し、特定年表事項としての特定年表データを、対応する第１の年月日情報としての年表日付データと共に取得する。
【００５６】
また、制御部１８は、上記検索部１４と共に未取得年表事項取得手段として機能し、上記入力部１１によって取得した年代情報に基づいて、該当する年表データを年表データベース１２Ａを参照して検索し、特定年表データとして取得されなかった未取得年表事項としての年表データを、対応する第２の年月日情報としての年表日付データと共に取得する。
【００５７】
さらに、制御部１８は、上記検索部１４と共に関連情報取得手段として機能し、取得した年代情報に対応する本文記事の章タイトルであって、上記キーワード取得部１３が取得したキーワードと対応する関連情報としての本文記事の章タイトルを本文データベース１２Ｂより取得する。
【００５８】
また、制御部１８は、上記表示データ作成部１５および表示部１６と共に提示手段として機能し、上記検索部１４が取得した年表データと章タイトルとを対応付けて時系列にて表示する。
【００５９】
また、制御部１８は、上記選択部１７と共に選択手段として機能し、ユーザが当該マウスを操作することにより、表示部１６に表示された章タイトルのうち、本文記事の表示を所望する何れかの章タイトルを選択する。
【００６０】
次に、本実施形態にかかる年表データの提示の具体的手法について説明する。
【００６１】
まず、図１乃至図５を参照して、年表事項提示装置１における年表データ提示処理について説明する。
【００６２】
図４は、制御部１８における年表データ提示処理を示すフローチャートであり、図５は、当該年表データ提示処理において、メモリ１２Ｃに対応付けて記憶させた年表データと章タイトルの説明図である。
【００６３】
図４に示す処理において、まず、ユーザが年表情報の提示を所望する年代Ｙを入力部１１より入力することにより、年代情報を取得する（ステップＳ１）。
【００６４】
具体的には、例えば図３の表示部１６の表示例に示す如く、表示部１６に表示された年代のスクロールキーをキーボードの矢印ボタンやマウスなどで構成する入力部１１をユーザが操作することによって、年代Ｙが入力され年代情報として取得される。
【００６５】
次に、キーワード取得部１３は、取得した年代情報に対応する本文記事のキーワードを本文データベース１２Ｂより取得する（ステップＳ２）。
【００６６】
例えば、図３に示す如く、年代Ｙが「１９８４年〜１９８５年」と指定された場合には、１９８４年から１９８５年までの年代を本文日付データに一部でも含む本文記事識別番号１のキーワード「液晶」及び「プロジェクション」と、本文記事識別番号２のキーワード「レインボーホログラム」及び「リップマンホログラム」と、本文記事識別番号３のキーワード「広辞苑」及び「ＣＤ−ＲＯＭ」と、本文記事識別番号４のキーワード「電子辞書」及び「電子出版」が本文データベース１２Ｂより取得される。
【００６７】
そして、検索部１４は、年表日付データに基づいてステップＳ１で取得した年代情報に対応する年表データを年表データベース１２Ａより取得する（ステップＳ３）。
【００６８】
例えば、年代Ｙが「１９８４年〜１９８５年」と指定された場合には、１９８４年から１９８５年までの年表日付データを有する年表データ「○○工場内にシャドウマスク工場が完成」、年表データ「レインボーホログラムの量産に成功」、年表データ「高品位テレビ用大型プロジェクションスクリーンを開発」及び年表データ「世界初のＣＤ−ＲＯＭ版電子辞書を開発」が取得される。
【００６９】
次に、ステップＳ２で取得した全ての本文記事識別番号ｎのキーワードについて、年表データと本文記事の章タイトルとを対応付ける対応付けループ処理を行なう（ステップＳ４）。
【００７０】
まず、検索部１４は、ステップＳ３で取得した年表データのうち、ステップＳ２で取得した本文記事識別番号１のキーワード「液晶」又は「プロジェクション」をその構成語句に含む年表データを特定年表データとして取得する（ステップＳ５）。
【００７１】
具体的には、本文記事識別番号１のキーワード「液晶」又は「プロジェクション」をその構成語句に含む年表データ「高品位テレビ用大型プロジェクションスクリーンを開発」を年表日付データ「１９８４０４００」と共に取得する。
【００７２】
次に、検索部１４は、関連情報として本文記事識別番号１の章タイトルを本文データベース１２Ｂより取得する（ステップＳ６）。
【００７３】
そして、ステップＳ５で取得した特定年表データ及び年表日付データと、ステップＳ６で取得した本文記事識別番号１の章タイトルとをメモリ１２Ｃに対応付けて記憶する（ステップＳ７）。
【００７４】
そして、ステップＳ２で取得した全ての本文記事識別番号１乃至４のキーワードについて、本文記事識別番号毎にステップＳ５乃至ステップＳ７の処理繰り返し行ない、ステップＳ２で取得した全ての本文記事識別番号１乃至４のキーワードについて上記処理を終了した後に、ステップＳ９へ移行する（ステップＳ８）。
【００７５】
次に、ステップＳ３で取得した年表データのうち、上記対応付け処理のステップＳ５において、特定年表データとして取得されなかった年表データ（未取得年表データ）と対応する年表日付データとを、年表データベース１２Ａより取得してメモリ１２Ｃに記憶する（ステップＳ９）。
【００７６】
この際、対応付けるべき本文記事識別番号と章タイトルは該当無しとして記憶する。例えば、ステップＳ３で取得した年表データ「○○工場内にシャドウマスク工場が完成」は、当該年表データを構成する語句にステップＳ２において取得した本文記事のキーワードを何れも含まないので、ステップＳ５にて特定年表データとして取得されないことになる。従って、当該年表データ「○○工場内にシャドウマスク工場が完成」は、その年表日付データと共に、対応付けるべき本文記事識別番号と章タイトルは該当無しとしてメモリ１２Ｃに記憶される。
【００７７】
ここで、図５にメモリ１２Ｃに記憶させた年表データ及び年表日付データと、本文記事識別番号の章タイトルの説明図を示す。
【００７８】
各年表データはそれぞれデータＩＤ番号を付されて記憶されており、図５に示す例によれば、データＩＤ１には、年表日付データ「１９８４０３００」年表データ「○○工場内にシャドウマスク工場が完成」と本文記事識別番号及び章タイトル「該当なし」が対応付けて記憶されている。
【００７９】
以下、夫々について、データＩＤ２には、年表日付データ「１９８４０４００」年表データ「高品位テレビ用大型プロジェクションスクリーンを開発」と、本文記事識別番号１、章タイトル「フラットディスプレイ」とが対応付けて記憶されている。
【００８０】
また、データＩＤ３には、年表日付データ「１９８４１１００」年表データ「レインボーホログラムの量産に成功」と、本文記事識別番号２、章タイトル「量産技術の確立」が対応付けて記憶されている。
【００８１】
また、データＩＤ４には、年表日付データ「１９８５０６００」年表データ「世界初のＣＤ−ＲＯＭ版電子辞書を開発」と、本文記事識別番号３、章タイトル「デジタル広辞苑の誕生」、及び本文記事識別番号４、章タイトル「マルチメディア」とが共に対応付けて記憶されている。
【００８２】
次に、表示データ作成部１５は、メモリ１２Ｃに対応付けて記憶させた年表データと章タイトルとに基づいて年表表示用データを作成する（ステップＳ１０）。
【００８３】
そして、ステップＳ１０において作成した年表表示用データに基づいて、表示部１６に年表情報を表示して処理を終了する（ステップＳ１１）。
【００８４】
図３に示す表示部１６の表示例によれば、「会社の動き」としてデータＩＤ１の年表データ「○○工場内にシャドウマスク工場が完成」が表示され、対応する章タイトルは無いので、上記年表データ「○○工場内にシャドウマスク工場が完成」に対応する「関連記事」欄は空欄として表示される。
【００８５】
一方、データＩＤ２の年表データ「高品位テレビ用大型プロジェクションスクリーンを開発」を「会社の動き」として表示し、「関連記事」として章タイトル「フラットディスプレイ」が上記年表データ「高品位テレビ用大型プロジェクションスクリーンを開発」と対応付けて表示部１６に表示されることになる。
【００８６】
そしてこの際、章タイトルと、本文データベース１２Ｂに記憶されている本文記事とについてハイパーリンクで関連付けを行ない、マウスなどで構成する選択部１７を操作して章タイトルを選択することにより、関連付けられた本文記事「・・・画面サイズが１００インチ以上の大型テレビにも、当社の技術が・・。当社は高精度のプロジェクションスクリーン・・・独自に開発し・・・」が表示される。
【００８７】
同様にして、データＩＤ３の年表データ「高品位テレビ用大型プロジェクションスクリーンを開発」を「会社の動き」として表示し、「関連記事」として章タイトル「量産技術の確立」が上記年表データ「高品位テレビ用大型プロジェクションスクリーンを開発」と対応付けて表示部１６に表示されることになる。そしてこの際、章タイトルと、本文データベース１２Ｂに記憶されている本文記事とについてハイパーリンクで関連付けを行ない、マウスなどで構成する選択部１７を操作して章タイトルを選択することにより、関連付けられた本文記事「・・・もう一つのホログラムの種類が、レインボーホログラムだ。世界初の量産に成功したのが昭和５９年のことであった。…」が表示される。
【００８８】
また、データＩＤ４の年表データ「世界初のＣＤ−ＲＯＭ版電子辞書を開発」を「会社の動き」として表示し、「関連記事」として章タイトル「デジタル広辞苑の誕生」及び「マルチメディアが、上記年表データ「世界初のＣＤ−ＲＯＭ版電子辞書を開発」と対応付けて表示部１６に表示されることになる。
【００８９】
そしてこの際、章タイトルと、本文データベース１２Ｂに記憶されている本文記事とについてハイパーリンクで関連付けを行ない、マウスなどで構成する選択部１７を操作して何れかの章タイトルを選択することにより、関連付けられた本文記事「・・・『広辞苑』は、昭和５８年１２月発行の第３版で、…・検索できるようにした「電子広辞苑」を発売した。この電子辞書も、当社が手がけたものだ。・・・の開発・・・」と「・・・・当社のＣＴＳによって『広辞苑  第３版』など数々の辞書・書籍類が・・。・・・電子出版に日本でもっとも初期のころから取り組んだ。」がそれぞれ表示される。
【００９０】
なお、ステップＳ６において、関連情報として章タイトルを取得したが、章タイトルと共に対応する章番号を取得し、ステップＳ１０にて、章タイトルとあわせて年表表示用データを作成し、ステップＳ１１にて表示部１６に章タイトルとあわせて章番号を作成してもよい。また、ステップＳ２の処理において、取得した年代情報に対応する本文記事がなく、取得するキーワードが無い場合には、処理を終了するよう構成すればよい。この場合には、「該当する情報はありません」等の案内文を表示部１６に表示するよう構成する。
【００９１】
また、図５に示すデータＩＤ４の例のように、１の年表データが複数の本文記事のキーワードを含むことにより、１の年表データが複数の章タイトルと対応付けられる場合には、予め定められた所定個数の章タイトルのみを対応付ければよい。この際、章タイトルの選択の一例として、例えば、章タイトルが属する本文記事の本文日付データに基づいて（図２（Ｂ）参照。）、日付の早いほうから所定個数だけ制御部１８の制御に基づいて取得し、メモリ１２Ｃに記憶させるよう構成してもよく、或いは、章タイトルに対応付けられる章番号の早いほうから順に所定個数だけ制御部１８の制御に基づいて取得し、メモリ１２Ｃに記憶させるよう構成してもよい。
【００９２】
さらに、上述した年表データ提示処理のフローチャートのステップＳ５において、１の本文記事に属するキーワードが、複数の年表データに含まれる場合には、夫々の年表データが特定年表データとして取得される。つまり、図３に示す表示部１６の表示例中、「会社の動き」に示される１の年表データと対応付けて表示される「関連記事」が、「会社の動き」に示される他の年表データとも対応付けて表示される。
【００９３】
このように構成することにより、本文記事が、該本文記事の内容と関連の深い全ての年表データと対応付けられ、年表データと密接に関係する関連情報を、当該年表データと対応付けて提供することが可能になる。
【００９４】
以下に表示データ作成部１５によってＸＭＬプログラミング形式で作成された年表データと章タイトルとを対応付けて構成する年表表示用データの一例を示す。なお、ＸＭＬプログラミングは、データ（内容）と表示が分離しているので、体裁変更が容易であると共に、非表示項目（日付・キーワードなど）を内在させられるので、検索が容易である。さらに、階層構造で記述でき、構造の変更が容易なので、書籍の内容記述に向いており、さらに動的な変更が容易であるという性質を有するため、年表表示用データの作成に適している。
<nenpyodisp>
<div type="年表">
<head>
<ol>
<li date="19840300" class="会社の動き">
<p>○○工場内にシャドウマスク工場が完成</p>
<ref>
<div type="節" id="1.1">
<head>
<title>フラットディスプレイ</title>
<term>
<start>1970
<end>2002
</term>
</head>
</div>
</ref>  
</li>
<li date="19840400" class="会社の動き">
<p>高品位テレビ用大型プロジェクションスクリーンを開発</p>
<ref>
<div type="節" id="2.2">
<head>
<title>量産技術の確立</title>
<term>
<start>1973
<end>2000
</term>
</head>
</div>
</ref>  
</li>
<li date="19841100" class="会社の動き">
<p>レインボーホログラムの量産に成功</p>
<ref>
</ref>  
</li>
<li date="19850600" class="会社の動き">
<p>世界初のCD-ROM版電子辞書を開発</p>
<ref>
<div type="節" id="3.2">
<head>
<title>デジタル広辞苑の誕生</title>
<term>
<start>1983
<end>1999
</term>
</head>
</div>
<div type="節" id="5.1">
<head>
<title>マルチメディア</title>
<term>
<start>1985
<end>1992
</term>
</head>
</div>
</ref>  
</li>
</ol>
</div>
</nenpyodisp>
【００９５】
次に、図６乃至図８を用いて、年表提示装置１の他の構成例について説明する。
【００９６】
図６は、上記年表提示装置１の他の構成例を示すブロック図である。
【００９７】
この構成の例においては、記憶部１２に年表データベース１２Ａ、本文データベース１２Ｂ及びメモリ１２Ｃに加えて、副電子文書としての本文データベース１２Ｄ、及び本文データベース１２Ｅを含んで構成する。
【００９８】
その他の構成は上述した実施形態と同様であるので詳細な説明を省略する。
【００９９】
上記本文データベース１２Ｄ及び本文データベース１２Ｅには、本文データベース１２Ｂとは別の企業等に関する本文記事がそれぞれ記憶されている。例えば、本文データベース１２Ｂに自社の本文記事等を記憶させておき、さらに、本文データベース１２Ｄには競合他社の本文記事等を記憶させ、また、本文データベース１２Ｅには社会の動きの本文記事等を記憶させるよう構成する。
【０１００】
この本文データベース１２Ｄ及び本文データベース１２Ｅは、詳述した本文データベース１２Ｂと同様に本文識別番号毎に、副電子文書を構成する構成文書に関連する副関連情報としての章タイトルを含む本文記事関連データ、副電子文書を構成する構成文書としての本文記事、及び本文記事の内容を把握するための手がかりとなるキーワードを対応付けて記憶している。また、この本文記事関連データは、本文記事に記述されている出来事が起きた時代としての第３の年月日情報としての本文日付データと章番号と章タイトルとにより構成される。
【０１０１】
なお、年表データベース１２Ａ及び本文データベース１２Ｂから年表データ及び本文記事の章タイトルを取得し、表示する処理は、上述した実施形態の年表データ提示処理と同様の処理を行なうので、説明を省略し、以下に、本文データベース１２Ｄ及び本文データベース１２Ｅから本文記事の章タイトルを取得する手順について説明する。
【０１０２】
まず、検索部１４は、上記制御部１８と共に副関連情報取得手段として機能し、ユーザによって年代Ｙが入力されることにより取得した年代情報に対応する本文記事の章タイトルであって、上記キーワード取得部１３が取得したキーワードと同一のキーワードを有する本文記事を、本文データベース１２Ｄ、及び本文データベース１２Ｅを参照して検索し、該当する本文記事の章タイトルとを、本文データベース１２Ｄ、及び本文データベース１２Ｅに記憶された対応する本文日付データと共にそれぞれ取得し、メモリ１２Ｃに記憶させる。
【０１０３】
従って、表示部１６にて年表情報を表示する際には、上述した実施形態における年表データ提示処理と同様に、年表データベース１２Ａより取得した年表データと、本文データベース１２Ｂより取得した章タイトルと共に、本文データベース１２Ｄ及び本文データベース１２Ｅより取得した章タイトルとを、年表データベース１２Ａより取得した年表日付データに基づいて対応付けて表示する。この際、本文データベース１２Ｄ及び本文データベース１２Ｅより取得した章タイトルは本文データベース１２Ｄ及び本文データベース１２Ｅよりそれぞれの章タイトルと共に取得した本文日付データを参照して表示するとより好ましい。
【０１０４】
そして、上述した年表データベース１２Ａより取得した年表データと、本文データベース１２Ｂより取得した章タイトルと同様に、本文データベース１２Ｄ及び本文データベース１２Ｅより取得した章タイトルと、本文データベース１２Ｄおよび本文データベース１２Ｅに記憶されているそれぞれの本文記事についてハイパーリンクで関連付けを行ない、マウスなどで構成する選択部１７を操作して章タイトルを選択することにより、関連付けられた本文記事を表示するよう構成する。
【０１０５】
図７に表示部１６の年表情報の表示例を示す。
【０１０６】
例えば、キーワード取得部１３により、年代情報に対応するキーワードとして、キーワード「カメラ付き携帯電話」が本文データベース１２Ｂから取得されると、検索部１４は、本文データベース１２Ｄおよび本文データベース１２Ｅから、上記年代情報に対応し、かつ、上記キーワード取得部１３が取得したキーワードと同一のキーワード「カメラ付き携帯電話」を有する本文記事の章タイトルを取得する。
【０１０７】
そして、本文データベース１２Ｂより取得した自社のカメラ付き携帯電話が開発された情報「わが社の関連記事」と、本文データベース１２Ｃより取得した競合他社のカメラ付き携帯電話が開発された情報「Ｈ社の関連記事」と、さらに、社会のカメラ付き携帯電話に関する情報「社会の動き関連記事」（例えば、「カメラ付き携帯電話の普及率急上昇」など。）とを、同一に表示させることにより同時に把握することができ、利便性を向上させることができるという効果がある。
【０１０８】
また、図８に表示部１６の他の表示例を示す。図８に示す如く、本文データベース１２Ｄおよび本文データベース１２Ｅから取得した情報を「その他の関連記事」として一の欄にまとめて表示することも可能である。この場合には、本文データベース１２Ｄ及び本文データベース１２Ｅよりそれぞれの章タイトルと共に取得した本文日付データの開始年代の古いほうから順に時系列で表示させればよい。
【０１０９】
また、本発明の他の構成例として、他のコンピュータ端末装置と年表事項提示装置１とをインターネットやＬＡＮ（Local Area Network）等の通信網で情報の送受信が可能になるよう構成することにより、ユーザは当該他のコンピュータを操作することにより所望の年代の年表情報を取得することが可能になる。
【０１１０】
この場合には、年表事項提示装置１は、コンピュータ端末装置から年代情報を受信する第１の受信手段しての受信部と、コンピュータ端末装置へ、年表事項と関連情報とを年表情報として送信する第１の送信手段しての送信部等を有して構成する。
【０１１１】
また、コンピュータ端末装置は、年代を指定するための指定手段としての入力部と、該指定された年代を年代情報として年表事項提示装置へ送信する第２の送信手段しての送信部と、年表事項提示装置から年表情報を受信する第２の受信手段しての受信送信部と、受信した年表情報を提示する年表情報提示手段としての表示部と、本文記事の表示を所望する章タイトルを選択するための選択部等を有して構成する。
【０１１２】
上述した実施形態によれば、本文記事が、該本文記事の内容と関連の深い全ての年表データと対応付けられ、年表データと密接に関係する本文記事の章タイトルを、当該年表データと対応付けて提供することが可能になる。
【０１１３】
また、年表データと密接に関係する本文記事の章タイトルを、本文記事とリンクさせた形式で、年表データと対応付けて表示することができるため、ユーザは表示された章タイトルを確認して、本文記事を表示させるか否かを決定し、表示を所望する本文記事だけを参照することが可能になるという効果がある。
【０１１４】
さらに、対比させたい電子文書毎にデータベースを別個に設けることにより、同一の時系列で異なる文書を対比して把握することが可能になるという効果がある。
【図面の簡単な説明】
【０１１５】
【図１】年表事項提示装置１の概要構成例を示すブロック図である。
【図２（Ａ）】年表データベース１２Ａの説明図である。
【図２（Ｂ）】本文データベース１２Ｂの説明図である。
【図３】表示部１６の年表情報の表示例である。
【図４】制御部１８における年表データ提示処理を示すフローチャートである。
【図５】メモリ１２Ｃに対応付けて記憶させた年表データと章タイトルの説明図である。
【図６】年表事項提示装置１の他の概要構成例を示すブロック図である。
【図７】表示部１６の年表情報の表示例である。
【図８】表示部１６の年表情報の表示例である。
【符号の説明】
【０１１６】
１…年表事項提示装置
１１…入力部
１２…記憶部
１２Ａ…年表データベース
１２Ｂ…本文データベース
１２Ｃ…メモリ
１２Ｄ…本文データベース
１２Ｅ…本文データベース
１３…キーワード取得部
１４…検索部
１５…表示データ作成部
１６…表示部
１７…選択部
１８…制御部
１９…バス
【図１】
2005222356.tif 000003
【図２（Ａ）】
2005222356.tif 000004
【図２（Ｂ）】
2005222356.tif 000005
【図３】
2005222356.tif 000006
【図４】
2005222356.tif 000007
【図５】
2005222356.tif 000008
【図６】
2005222356.tif 000009
【図７】
2005222356.tif 000010
【図８】
2005222356.tif 000011